(57)【要約】【課題】        グリーン上のボール転がり長さとパターヘッドのスピードには或る関係式が存在する。このヘッドスピードを得る簡単な方法としてパターと腕を一体にした振り子式パッティングが適している。しかし実際にパターが理論通りにスイングされているかはプレーヤの感性に委ねられていた。【解決手段】        本発明は上記課題を解決するもので、パッティング動作が振り子理論に基づくヘッドの動きになっているかをチェックするため、スイングと同一方向に透明のパイプをヘッド内に設け、その中に自由に転動する鋼球があって、この鋼球がパイプ中央付近に来るようにダウンスイングするのである。【選択図】        図３
2006334343.tif 000002
【特許請求の範囲】
【請求項１】
パタースイングの同一方向に自由転動する移動体と、転がり抵抗の少ない有限長の軌道がパターヘッド内にあって、前記軌道は透明材でカバーされていることを特徴としたゴルフ用パター。
【請求項２】
自由に転動する移動体の軌道は、パタースイングでヘッドが動く曲率半径とほぼ同等の曲率を有することを特徴とした、請求項１記載のゴルフ用パター。
【発明の詳細な説明】
【技術分野】
【０００１】        ゴルフのパッティング法にはいろいろある中で、腕とパターを一体にしてスイングする振り子式がある。振り子式の良い点はテークバック量でボールの転がり量をコントロールする事が出来る点にある。しかし実際のスイングが本来の振り子になっているかが重要で、そのチェック機能がパターに望まれていた。本発明は実践の場で常にスイングのチェックが行える有効な手段を提供するものである。
【背景技術】
【０００２】        ゴルフのグリーン上でボールからカップまでの距離を精確に計測する手段と、その距離数に合った振り子理論によるパッティング法は既に下記特許・実用新案等で明示されている。
【特許文献１】      実願２００３−００３９３６    距離計測機能付きパター
【特許文献２】      実願２００３−２７２９７３    距離計測機能付パター
【特許文献３】      特願２００５−５０４５０４    距離計測機能付パター
これら実（特）願で述べている振り子理論のパッティング法によれば、ボールの転がる距離とパッティングのヘッドスピードの関係が分っている。計測したカップまでの距離数に最適なへっドスピードを得る為には、プレーヤの身長に応じたパターのテークバック量が存在し、そのテークバック位置からパターを理論通りに振るにはそれなりの練習が必要になる。
【発明の開示】
【発明が解決しようとする課題】
【０００３】        ゴルフのパッティング要領はファーストパットでカップ１ｍ以内に付け、セカンドパットで確実にカップインする精確性にある。何れも目標距離に対して適切なパッティング力が求められ、その力を振り子のバックスイング量で調整するものである。従って振り子理論通りのパターヘッドの動きが重要で、そのチェック機能はもっぱらプレーヤの感性に求められていた。
【課題を解決するための手段】
【０００４】        本発明は上記課題を解決するもので、パッティング動作が振り子理論に基づくヘッドの動きになっているかをチェックするため、スイングと同一方向に透明のパイプをヘッド内に設け、その中に自由に転動する鋼球があって、この鋼球がパイプ中央付近に来るようにダウンスイングするのである。
【発明の効果】
【０００５】        本発明は振り子式スイングを身につける練習にも使え、距離数に応じた打ち分け方を何時でも何処でも練習が出来る為、実際のグリーン上では自信を持ってパッテイングに望める。これは前述した例えば特願２００５−５０４５０４で説明する「距離計測機能付パター」と共に使用することで、パッティング技術が短時間で飛躍的に向上する効果がある。
【発明を実施するための最良の形態】
【０００６】        第１図で示す様にカップＡまでの距離数はプレーヤの身長Ｌと体型Ｋ１、Ｋ２によって幾何学的に求められる。即ちグリーン傾斜θ＝０の場合、ボールＢ位置にパター１を吊り下げ、持った腕は伸ばしたままグリップ終端Ｄをプレーヤの目の高さＥに合わせてカップＡを覗いた時、目線と交わるグリップ位置Ｐから距離Ｘが次式で求まる。
Ｘ＝（Ｋ１・Ｋ２・Ｌ２／ＤＰ）−Ｋ２・Ｌ
ただし  Ｋ１：目の高さ／身長        Ｋ２：腕の長さ／身長
またその距離数に応じたテークバック量は振り子理論によって次の様に求められる。
第２図はパッティング動作を腕とパターを一体にした振り子Ｒとしてモデル化、テークバックして振り子に蓄えた位置エネルギーの一部は、パッティング後のボールが転がる過程で転がり抵抗と位置エネルギーに消失する。
パター先端の等価重量Ｍ、振り子長さＲ、テークバック量Ｔとした場合、パターに蓄えられる位置エネルギーはボールＢに当たる直前で全て運動エネルギーに変わるものとして、
ＭＶ２／２ｇ＝ＭＲ（１−ｃｏｓβ）      β：パターの振上げ角
但し  ｓｉｎβ＝Ｔ／Ｒ、    Ｖ：パター速度、    ｇ：重力加速度
ボールに当たった瞬間は運動量保存の法則から
ＭＶ＝（１−Ｋ）ＭＶ＋ｍｖ＋ε
但しｍ：ボール重量、ｖ：ボール初速、Ｋ：パター／ボール間の運動量伝達率
ε：ボールの非線形歪み等によるエネルギー損失による運動量
ｍｖ≒ＫＭＶ  （ε≒０    量的には少ないので無視する）【０００７】初速ｖを得たボールＢはグリーン傾斜角θの所でＸだけ転がったとすると、
ｍｖ２／２ｇ＝ｍμＸ＋ｍＸｓｉｎθ    但しμ：グリーン芝の転がり抵抗係数
これらの式からボール転がり量Ｘとパターのテークバック量Ｔとの関係は
Ｔ＝Ｒｓｉｎβ        Ｖ２＝２ｇＲ（１−ｃｏｓβ）
但し  β＝ｃｏｓ−１（１−（ｍ／ＫＭ）２・（Ｘ／Ｒ）・（μ＋ｓｉｎθ））
グリーン傾斜角θ＝０°の場合のボール転がり量Ｘ（ｃｍ）に必要な振り子の振上げ角β（°）、テークバック量Ｔ（ｃｍ）とバターのヘッドスピードＶ（ｃｍ／ｓ）の関係を、身長１７０ｃｍを例に求めたのが表１である。【０００８】
【表１】
2006334343.tif 000003
【実施例】
【０００９】        本発明の実施例を図に従って具体的に説明する。図３は距離計測機能付パター１に本発明を装着したヘッド２の概観を示しており、自由に移動可能な鋼球３と透明カバーを兼ねたパイプによる軌道４があって、鋼球３の動きが見えるようにスイング方向と平行にヘッド２に内蔵する。そして所定のテークバック位置へ振り上げた後にパターヘッドをダウンスイングさせると、有限長の軌道４はあたかも振り子の連続軌道５を作り、自由に転がる鋼球３は振り子の錘と同様の動きをする。しかし実際の軌道は有限のため、ダウンスイングはこの鋼球３が有限長のほぼ中央へ来るようにパターヘッドを追従させるのである。この透明パイプは振り子半径と同等の曲率を有すれば、ヘッド追従の操作性が更に向上する。
【図面の簡単な説明】
【００１０】
【図１】      カップまでの距離計測法
【図２】      振り子モデルにおけるテークバック量とボール転がり量の関係
【図３】      本発明品のゴルフ用パターの概観図とヘッド断面図。パターのスイングが仮想連続軌道を作り、そこを鋼球が自由に転動する様子を示す。
【符号の説明】
【００１１】  １．      距離計測機能付パター
２．      パターヘッド
３．      鋼球
４．      軌道
５．      仮想連続軌道
【図１】
2006334343.tif 000004
【図２】
2006334343.tif 000005
【図３】
2006334343.tif 000006